(57)【要約】【課題】環境問題を低減しつつ、低コストであり、製造工程に対応しやすい冊子封緘物を提供する。【解決手段】冊子封緘物１０は、複数のページからなる冊子１１と、複数の折り線１２で折畳まれた情報部１３が設けられ、冊子１１の小口部分を封緘するＤＭ（ダイレクトメール）１４と、冊子１１とＤＭ１４との未接着領域におけるＤＭ１４に設けられた２本のミシン目１５と、封筒部を形成する剥離不可能な接着糊１６と、冊子１１とＤＭ１４とを接着する剥離不可能な接着糊１７と、宛名欄１８と、ジグザグに折畳まれた蛇腹折り部１９などとを備える。ＤＭ１４の天地長さは、冊子１１の天地長さより短く、蛇腹折り部１９の天地長さは、ＤＭ１４が冊子１１と接着される面の天地長さより短く、ミシン目１５は、折畳まれた蛇腹折り部１９の端部付近と重なる位置に設けられている。【選択図】        図１
2005007687.tif 000002
【特許請求の範囲】
【請求項１】
複数のページからなる冊子と、
複数の区画線で折畳まれた情報部が設けられ、前記冊子の小口部分を封緘する封緘用折畳み情報片と、
を備える冊子封緘物。
【請求項２】
請求項１に記載された冊子封緘物において、
前記封緘用折畳み情報片は、前記冊子の表表紙及び裏表紙と少なくとも一部又は全面で接着していること、
を特徴とする冊子封緘物。
【請求項３】
請求項１又は請求項２に記載された冊子封緘物において、
前記封緘用折畳み情報片の天地長さは、前記冊子の天地長さより短いこと、
を特徴とする冊子封緘物。
【請求項４】
請求項１から請求項３までのいずれか１項に記載された冊子封緘物において、
前記封緘用折畳み情報片は、前記冊子と接着されていない未接着領域に分離予定線が設けられていること、
を特徴とする冊子封緘物。
【請求項５】
請求項１から請求項４までのいずれか１項に記載された冊子封緘物において、
前記封緘用折畳み情報片は、一部又は全部に一端から他端へジグザグに折畳む蛇腹折り部を備えていること、
を特徴とする冊子封緘物。
【請求項６】
請求項１から請求項５までのいずれか１項に記載された冊子封緘物において、
前記蛇腹折り部の天地長さは、前記封緘用折畳み情報片の前記冊子と接着される面の天地長さより短いこと、
を特徴とする冊子封緘物。
【請求項７】
請求項１から請求項６までのいずれか１項に記載された冊子封緘物において、
前記分離予定線は、折畳まれた前記蛇腹折り部の端部付近と重なる位置に設けられていること、
を特徴とする冊子封緘物。
【請求項８】
請求項１から請求項４までのいずれか１項に記載された冊子封緘物において、
前記封緘用折畳み情報片は、一部又は全部に一端から他端へ一方向に折畳む巻折り部を備えていること、
を特徴とする冊子封緘物。
【請求項９】
請求項１から請求項４までのいずれか１項に記載された冊子封緘物において、
前記封緘用折畳み情報片は、一部又は全部に両端から中央方向へ順に巻込むように折畳む観音折り部を備えていること、
を特徴とする冊子封緘物。
【発明の詳細な説明】
【０００１】
【発明の属する技術分野】
本発明は、例えば、冊子を包装せずに生活者へ送付する際に、小口部分が開かないように固定する冊子封緘物に関する。
【０００２】
【従来の技術】
従来、複数のページからなる冊子を生活者へ送付する場合には、その冊子の大きさや内容，位置付けなどにより市販の封筒に入れたり、フィルムや紙などで包装し、送付されている。
【０００３】
一方、簡易な送付形態として、小口部分を再剥離可能な粘着剤を有した帯状のテープで封緘する方法も知られている（例えば、特許文献１）。
【０００４】
一方、企業が行う生活者への販促（販売促進）活動として、ＤＭ（ダイレクトメール）は大きな位置を占めており、多くの企業が、訴求性が高く低コストなＤＭ作りに力を注いでいる。
【０００５】
【特許文献１】
特願平１０−２６００２６号公報
【０００６】
【発明が解決しようとする課題】
しかし、特許文献１の方法によると、冊子に備えられた封緘テープは、冊子を生活者に送付した後には不要となり、捨てられてしまうので、環境問題に対応していなかった。
【０００７】
また、近年、販促活動のコストを削減するために、異業種の企業間で販促印刷物を同封しあうタイアップＤＭが見られるが、これには封筒や包装が必要であり、その分コストアップにつながっていた。
【０００８】
さらに、冊子を生活者に送付する場合、その生活者の過去の購買実績に応じた割引設定や、クーポン券の発行、エリア毎のキャンペーン告知などといった、生活者個々人に対応した内容の添付を行うことがある。この場合に、冊子の内容を生活者ごとに変えると、膨大な作業時間となってしまい、また、顧客リストや個人情報などの番号が１つずれて冊子が印刷されると、生活者に対応している情報もずれてしまい、ずれた後の冊子はつかいものにならなくなっていた。
【０００９】
本発明の課題は、環境問題を低減しつつ、低コストであり、製造工程に対応しやすい冊子封緘物を提供することである。
【００１０】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、複数のページからなる冊子（１１）と、複数の区画線（１２）で折畳まれた情報部（１３）が設けられ、前記冊子（１１）の小口部分を封緘する封緘用折畳み情報片（１４）と、を備える冊子封緘物である。
【００１１】
請求項２の発明は、請求項１に記載された冊子封緘物において、前記封緘用折畳み情報片（１４）は、前記冊子（１１）の表表紙及び裏表紙と少なくとも一部又は全面で接着していること、を特徴とする冊子封緘物である。
【００１２】
請求項３の発明は、請求項１又は請求項２に記載された冊子封緘物において、前記封緘用折畳み情報片（１４）の天地長さは、前記冊子（１１）の天地長さより短いこと、を特徴とする冊子封緘物である。
【００１３】
請求項４の発明は、請求項１から請求項３までのいずれか１項に記載された冊子封緘物において、前記封緘用折畳み情報片（１４）は、前記冊子（１１）と接着されていない未接着領域に分離予定線（１５）が設けられていること、を特徴とする冊子封緘物である。
【００１４】
請求項５の発明は、請求項１から請求項４までのいずれか１項に記載された冊子封緘物において、前記封緘用折畳み情報片（１４）は、一部又は全部に一端から他端へジグザグに折畳む蛇腹折り部（１９）を備えていること、を特徴とする冊子封緘物である。
【００１５】
請求項６の発明は、請求項１から請求項５までのいずれか１項に記載された冊子封緘物において、前記蛇腹折り部（１９）の天地長さは、前記封緘用折畳み情報片（１４）の前記冊子（１１）と接着される面の天地長さより短いこと、を特徴とする冊子封緘物である。
【００１６】
請求項７の発明は、請求項１から請求項６までのいずれか１項に記載された冊子封緘物において、前記分離予定線（１５）は、折畳まれた前記蛇腹折り部（１９）の端部付近と重なる位置に設けられていること、を特徴とする冊子封緘物である。
【００１７】
請求項８の発明は、請求項１から請求項４までのいずれか１項に記載された冊子封緘物において、前記封緘用折畳み情報片（１４）は、一部又は全部に一端から他端へ一方向に折畳む巻折り部（１９Ａ）を備えていること、を特徴とする冊子封緘物である。
【００１８】
請求項９の発明は、請求項１から請求項４までのいずれか１項に記載された冊子封緘物において、前記封緘用折畳み情報片（１４）は、一部又は全部に両端から中央方向へ順に巻込むように折畳む観音折り部（１９Ｂ）を備えていること、を特徴とする冊子封緘物である。
【００１９】
【発明の実施の形態】
以下、図面等を参照して、本発明の実施の形態について、さらに詳しく説明する。
（第１実施形態）
図１は、本発明による冊子封緘物の第１実施形態を示す模式図であって、図１（Ａ）〜（Ｆ）は、ＤＭが折畳まれ、冊子に貼り付けられる模式図であり、図１（Ｇ）は、完成した冊子封緘物の表面の模式図であり、図１（Ｈ）は、完成した冊子封緘物の裏面の模式図である。
第１実施形態による冊子封緘物１０は、複数のページからなる冊子１１と、複数の折り線１２で折畳まれた情報部１３が設けられ、冊子１１の小口部分を封緘するＤＭ１４（封緘用折畳み情報片）と、冊子１１とＤＭ１４との未接着領域におけるＤＭ１４に設けられた２本のミシン目１５（分離予定線）と、封筒部を形成する剥離不可能な接着糊１６と、冊子１１とＤＭ１４とを接着する剥離不可能な接着糊１７と、送付先の住所や氏名などが記載されている宛名欄１８と、ジグザグに折畳まれた蛇腹折り部１９などとを備える。
ＤＭ１４の天地長さは、冊子１１の天地長さより短く、蛇腹折り部１９の天地長さは、ＤＭ１４が冊子１１と接着される面の天地長さより短く、２本中１本のミシン目１５は、折畳まれた蛇腹折り部１９の端部付近と重なる位置に設けられている。ここでの端部付近とは、図１（Ｃ）に示すように、折畳まれた蛇腹折り部１９における右側の端部付近のことである。
【００２０】
なお、冊子１１とＤＭ１４とは、販促情報などの様々な情報が印刷されており、冊子１１の表表紙と裏表紙とは、冊子が配送中に折り曲がらない程度の剛性を有し、加工適性を満足する、１００〜１６０グラム／ｍ２の用紙を用いた。
また、剥離不可能な接着糊１６，１７には、エマルジョン系の強接着性のものを用いた。
【００２１】
次に、第１実施形態による冊子封緘物１０の製造方法を説明する。
まず、図１（Ａ）に示すように、ＤＭ１４に使用する横長の紙を用意し、情報部１３には、返信ハガキやクーポン券などの送付時に隠蔽したい情報を、それ以外の領域には、販促情報や送付先情報などを印刷する。４つの情報部１３を備えた蛇腹折り部１９は、封筒部を形成する接着糊１６と接着しないようにＤＭ１４の天地長さより短くし、折畳むための折り線１２、開封するための２本のミシン目１５を設け、接着糊１６を塗布する。
【００２２】
ついで、図１（Ｂ）に示すように、蛇腹折り部１９をジグザグに折畳み、図１（Ｃ）に示すように、蛇腹折り部１９を一つに折畳む。
【００２３】
さらに、図１（Ｄ）に示すように、蛇腹折り部１９が折畳まれている紙片を内側に折り返し、図１（Ｅ）に示すように、完成したＤＭ１４の裏面に、冊子１１の表表紙と裏表紙と接着させるための剥離不可能な接着糊１７を塗布する。
なお、冊子１１の小口部分に対向する部分と、ミシン目付近と、２つのミシン目の間には、接着糊１７は塗布しない。
この状態で、２本存在する右側のミシン目１５は、折り返された紙片によって、ＤＭ１４の裏面からは目視できなくなっており、この右側のミシン目１５は、冊子１１の表表紙又は裏表紙となる面上に配置されるミシン目１５となり、ＤＭ１４の裏面から目視できる左側のミシン目１５は、冊子１１の角付近（小口部分と表表紙又は裏表紙との間）に配置されるミシン目１５となる。
【００２４】
最後に、図１（Ｆ）に示すように、冊子１１にＤＭ１４を貼り付けることによって、図１（Ｇ）に示すように、冊子封緘物１０が完成し、図１（Ｈ）に示すように、冊子１１の表表紙又は裏表紙までＤＭ１４がまたがって接着されているので、冊子１１の小口部分は、ＤＭ１４によって封緘される。
【００２５】
以上のようにして、図１（Ｇ）に示した状態の冊子封緘物１０が完成したら、冊子封緘物１０は、郵送や宅配便などの配送手段によって、宛名欄１８に記載された生活者に届けられる。
また、宛名欄１８を設けない場合には、指定されたエリアの生活者宅への投げ込みを行うポスティングも行える。
【００２６】
ここで、冊子封緘物１０の開封方法について説明する。
図２は、本発明による冊子封緘物の第１実施形態の開封方法を示す模式図であって、図２（Ａ）は、ＤＭをミシン目で開封している模式図であり、図２（Ｂ）は、ＤＭをミシン目で完全に開封した模式図であり、図２（Ｃ）は、蛇腹折り部を引き出した模式図である。
まず、図２（Ａ）に示すように、冊子封緘物１０が届いたら、生活者側では、２本のミシン目１５を用いて開封してゆく。
【００２７】
ついで、図２（Ｂ）に示すように、ＤＭ１４を完全に開封すると、蛇腹折り部１９の端部が表出し、また、ＤＭ１４による封緘の機能がなくなるので、冊子１１の内容を確認できる。
【００２８】
最後に、図２（Ｃ）に示すように、蛇腹折り部１９を引き出して、情報部１３の記載内容を確認する。
【００２９】
このように、第１実施形態によれば、ＤＭ１４を冊子１１の封緘手段に用い、冊子１１とＤＭ１４とを一体化させたので、冊子１１を封緘するための封緘片をあらためて作成する必要がなく、その作成の手間と費用を抑えることができ、それによって、従来の廃棄されるだけの封緘用の封筒やフィルムをなくし、環境にやさしい送付形態を実現することができた。
【００３０】
また、ＤＭ１４の天地長さが、冊子１１の天地長さより短いので、ＤＭ１４を開封しなくても、冊子１１の内容の一部を確認でき、どちらも開封してみたくなる訴求効果を高めることができた。しかも、折畳まれた蛇腹折り部１９の端部付近と重なる位置にミシン目１５を設けたので、冊子１１を開封すれば、ＤＭ１４も開封でき、それと同時に蛇腹折り部１９の端部が表出するので、蛇腹折り部１９が引き出しやすくなり、蛇腹折り部１９の天地長さをＤＭ１４の天地長さより短くしたので、蛇腹折り部１９が、より引き出しやすくなった。
【００３１】
さらに、冊子１１とＤＭ１４とを一体化させて送付することができるので、封筒代や冊子１１とＤＭ１４との両方にかかっていた送付代を削減することができ、剥離不可能に一体化されていることによって、開封後は、冊子１１とＤＭ１４とが分離しないので、両方を一体にして保管することができた。
【００３２】
さらにまた、タイアップＤＭの場合には、例えば、送付費用を２企業で分割することもでき、また、ＤＭ１４のみを片方の企業が作成し、異なる企業の冊子１１を添付して送付することが可能になるので、冊子１１を作る手間が省け、いずれにしても、販促費用を削減することができた。
【００３３】
一方、冊子１１を生活者に送付する場合、生活者個々人に対応した内容を冊子側でなくＤＭ側に記載することによって、冊子１１の内容を変化させる必要がなくなり、冊子１１の製造工程がシンプルになった。
【００３４】
（第２実施形態）
図３は、本発明による冊子封緘物の第２実施形態を示す模式図である。
なお、前述した第１実施形態と同様な機能を果たす部分には、同一の符号又は末尾に統一した符号を付して、重複する説明や図面を適宜省略する。
第２実施形態の冊子封緘物１０Ａにおける、第１実施形態の冊子封緘物１０と異なる点は、ＤＭ１４Ａの折畳み方法が、一端から他端へ一方向に折畳む巻折りで折畳まれている点と、巻折り部１９Ａの天地部分に、仮止め用の再剥離可能な再剥離糊１６Ａを塗布した点と、ミシン目１５が冊子１１の小口部分と対向するＤＭ１４の面に設けられた点と、冊子１１とＤＭ１４Ａとを一体化する接着剤に、再剥離可能な再剥離糊１７Ａを用い、この再剥離糊１７Ａをミシン目近傍以外の周縁部に塗布した点である。
なお、再剥離可能な再剥離糊１６Ａには、生活者が容易に剥離可能なゴム系の弱接着性のものを用いた。
【００３５】
このように、第２実施形態によれば、ＤＭ１４Ａの折畳み方法が、巻折りになったので、製造工程が容易になった。
また、再剥離糊１６Ａによって、巻折り部１９Ａが仮止めされているので、巻折り部１９Ａ自体がしっかりと固定され、不用意な剥離を防止できた。
さらに、ミシン目１５が冊子１１の小口部分と対向するＤＭ１４の面に設けられたので、開封しやすくなった。
さらにまた、生活者に冊子封緘物１０Ａが送られてきた後は、冊子１１とＤＭ１４Ａとを分離することができるので、ＤＭ１４Ａが冊子１１に接着されている部分にも情報を記載することができ、第１実施形態よりも情報量を多くできた。
【００３６】
（第３実施形態）
図４は、本発明による冊子封緘物の第３実施形態を示す模式図である。
第３実施形態の冊子封緘物１０Ｂは、第２実施形態に近いが（図３参照）、第２実施形態の冊子封緘物１０Ａとは異なり、ＤＭ１４Ｂが両端から中央方向へ順に巻込むように折畳む観音折りで折畳まれている。
【００３７】
このように、第３実施形態によれば、ミシン目１５で開封した場合に、ＤＭ１４Ｂが二つ分割されるので、片方を返信用のハガキ、もう片方をクーポン券などといった情報部を２つに分けて、生活者に開封させたい場合には好適に利用できる。
【００３８】
（変形形態）
以上説明した実施形態に限定されることなく、種々の変形や変更が可能であって、それらも本発明の均等の範囲内である。
（１）  上述した各実施形態で、分離予定線は、ミシン目としたが、マイクロミシン目やハーフカットなどの他のカット線でもよく、また、ミシン目を２本設ける例で説明したが、１本でも３本以上でもよい。
【００３９】
（２）  上述した各実施形態で、封緘用折畳み情報片は、ＤＭとしたが、スーパーの広告やチラシなどでもよく、また、大きな紙片を折畳んだものでもよい。
【００４０】
（３）  ２本のミシン目の間や各折り部の情報部以外の領域に、広告や宣伝などの情報を設けてもよい。
【００４１】
（４）  上述した各実施形態で、宛名欄１８は、ＤＭ１４に直接印刷することにより形成したが、別途作製したラベルを貼り込むことによって形成してもよい。
【００４２】
（５）  冊子１１の表表紙と裏表紙とは、ＰＰ（ポリプロピレン）加工したものであってもよい。
【００４３】
（６）  上述した各実施形態で、３種類の折り部を例にあげて説明したが、折畳む紙片数は、必要に応じて増減させてよい。
【００４４】
（７）  第２，３実施形態では、ＤＭ１４の折畳んだ面が内側になるように、冊子１１とＤＭ１４とを貼り合わせたが、折畳んだ面を外側にして貼り合わせてもよい。つまり、図３（Ｅ），図４（Ｄ）の段階で、再剥離可能な再剥離糊１７Ａ，１７ＢをＤＭ１４Ａ，１４Ｂの反対側の面に塗布して、冊子１１と貼り合わせてもよい。
【００４５】
（８）  第１実施形態の剥離不可能な接着糊１７は、再剥離可能な再剥離糊でもよく、また、第２，３実施形態の再剥離可能な再剥離糊１７Ａ，１７Ｂは、剥離不可能な接着糊でもよい。
【００４６】
【発明の効果】
以上詳しく説明したように、本発明によれば、冊子と封緘用折畳み情報片を一体化させ、廃棄されるだけの封緘用の封筒やフィルムをなくすことができたので、低コストで、かつ、環境問題を低減でき、しかも、様々な市場のニーズに対応しやすい冊子封緘物が提供できた。
【図面の簡単な説明】
【図１】本発明による冊子封緘物の第１実施形態を示す模式図である。
【図２】冊子封緘物の開封方法を示す模式図である。
【図３】本発明による冊子封緘物の第２実施形態を示す模式図である。
【図４】本発明による冊子封緘物の第３実施形態を示す模式図である。
【符号の説明】
１０  冊子封緘物
１１  冊子
１２  折り線
１３  情報部
１４  ＤＭ（ダイレクトメール）
１５  ミシン目
１６  接着糊
１６Ａ  再剥離糊
１７  接着糊
１７Ａ  再剥離糊
１７Ｂ  再剥離糊
１８  宛名欄
１９  蛇腹折り部
【図１】
2005007687.tif 000003
【図２】
2005007687.tif 000004
【図３】
2005007687.tif 000005
【図４】
2005007687.tif 000006